(57)【要約】【課題】電子部品や配線のための回路基板の実装面積を広く確保した電子回路装置を提供する。【解決手段】コネクタ７の底壁１５には、インサート成形により金属製の上側端子１３および下側端子１４が固定されている。上側端子１３は、コネクタ底壁１５を貫通して延びる基部１３ａと、所定の折曲角度αで基部１３ａの先端から隣接する下側端子１４側へと折曲形成された中間の傾斜部１３ｂと、基部１３ａと平行になるように所定の折曲角度αで傾斜部１３ｂの先端から反対側に折曲形成された先端部１３ｃと、を備えている。また、下側端子１４は、上側端子１３と上下方向に対称となるように折曲形成されている。先端部１３ｃ，１４ｃは、回路基板１０にハンダ付けにより固定されている。このような構成により、２つの端子１３，１４のコネクタ７側での端子間距離Ｄ1に比較して回路基板１０側での端子間距離Ｄ2が狭まっている。【選択図】図４
2016170856.tif 000002
【特許請求の範囲】
【請求項１】
底壁と、この底壁の周囲を囲む周壁と、を有してなる合成樹脂製のコネクタと、
上記コネクタが取り付けられる開口部を有したハウジングと、
上記ハウジング内に収容される回路基板と、
上記底壁にインサート成形され、上記開口部を通して、一端が上記回路基板に固定される、整列した複数の端子と、
を備え、
互いに隣接した少なくとも２つの端子からなる１組の端子について、コネクタ側での端子間距離に比較して回路基板側での端子間距離が狭まるように、少なくとも１つの端子が中間部で折曲形成されている、電子回路装置。
【請求項２】
上記少なくとも１つの端子は、上記底壁を貫通して延びる基部と、上記基部の先端から折曲形成された中間の傾斜部と、上記基部と平行になるように上記傾斜部の先端から反対側に折曲形成された先端部と、を備えていることを特徴とする請求項１に記載の電子回路装置。
【請求項３】
上記少なくとも１つの端子は、上記底壁を貫通して延びる基部と、Ｕターンするように上記基部の先端から折曲形成された第１の湾曲部と、Ｕターンするように上記第１の湾曲部の先端から折曲形成された第２の湾曲部と、上記基部と平行になるように上記第２の湾曲部の先端から延びる先端部と、を備えていることを特徴とする請求項１に記載の電子回路装置。
【請求項４】
２つの端子から１組の端子が構成され、上記２つの端子は、対称に折曲形成されることを特徴とする請求項１に記載の電子回路装置。
【請求項５】
２つの端子から１組の端子が構成され、上記２つの端子の一方は、上記底壁を貫通して延びる基部と、上記基部の先端から折曲形成された中間の傾斜部と、上記基部と平行になるように上記傾斜部の先端から反対側に折曲形成された先端部と、を備え、上記２つの端子の他方は、直線状の端子であることを特徴とする請求項１に記載の電子回路装置。
【請求項６】
一直線上に並んで配置された３つの端子で１組の端子が構成され、両側の２つの端子は、対称に折曲形成され、中央の端子は、直線状の端子であることを特徴とする請求項１に記載の電子回路装置。
【発明の詳細な説明】
【技術分野】
【０００１】
本発明は、例えば自動車の電動ブレーキ等に用いられる電子回路装置に関する。
【背景技術】
【０００２】
特許文献１には、コネクタの底壁が回路基板の上面と直交するように配置されてなる回路基板装置が開示されている。上記底壁には、上下方向に整列した２つの端子がインサート成形されており、これらの端子の一部が、上記底壁から突出している。上記２つの端子は、上記回路基板と平行に延びる基部と、この基部の先端から回路基板側に折曲形成されてハンダ付けにより上記回路基板に固定される先端部と、を備えている。このように先端部が固定された状態では、コネクタ側での端子間距離と、回路基板側での端子間距離とが互いに等しくなっている。
【先行技術文献】
【特許文献】
【０００３】
【特許文献１】特開２０１４−２２９４５０号公報
【発明の概要】
【発明が解決しようとする課題】
【０００４】
一般に、コネクタの底壁にインサート成形された複数の端子を回路基板にハンダ付けにより固定する場合には、互いに隣接する２つの端子が互いに平行に配置されており、コネクタ側での端子間距離と回路基板側での端子間距離とが等しくなっている。しかし、このような回路基板への端子の固定は、回路基板側での端子間距離を必要以上に広くするものであり、回路基板の実装面積が狭くなってしまう。
【課題を解決するための手段】
【０００５】
本発明は、
底壁と、この底壁の周囲を囲む周壁と、を有してなる合成樹脂製のコネクタと、
上記コネクタが取り付けられる開口部を有したハウジングと、
上記ハウジング内に収容される回路基板と、
上記底壁にインサート成形され、上記開口部を通して、一端が上記回路基板に固定される、整列した複数の端子と、
を備えた電子回路装置において、
互いに隣接した少なくとも２つの端子からなる１組の端子について、コネクタ側での端子間距離に比較して回路基板側での端子間距離が狭まるように、少なくとも１つの端子が中間部で折曲形成されている。
【０００６】
このような構成では、コネクタ側での端子間距離を過度に狭めることなく、回路基板側での端子間距離を狭くでき、コネクタ側での端子間距離と回路基板側での端子間距離の差に対応した分だけ回路基板の両面について他の用途に利用可能な面積が広くなる。
【発明の効果】
【０００７】
本発明によれば、上記両端子間距離の差に対応した分の広がった面積部分を利用して回路基板に電子部品や配線を設けることができる。これにより、例えば、回路基板や他の構成要素が小型化される。
【図面の簡単な説明】
【０００８】
【図１】本発明に係る電子回路装置を備えた電動ブレーキ装置を示した斜視図である。
【図２】図１のコントローラハウジングを裏側から見た斜視図である。
【図３】図２のＡ−Ａ線に沿ったコントローラハウジングおよびコネクタの断面図である。
【図４】図３のコネクタが取り付けられたコントローラハウジングの部分を拡大した断面図である。
【図５】本発明に係る電子回路装置の第２の実施例を示す断面図である。
【図６】本発明に係る電子回路装置の第３の実施例を示す断面図である。
【図７】本発明に係る電子回路装置の第４の実施例を示す断面図である。
【発明を実施するための形態】
【０００９】
以下、図面を参照しながら本発明の一実施例について説明する。
【００１０】
図１には、本発明に係る電子回路装置を備えた電動ブレーキ装置が示されている。この電動ブレーキ装置は、倍力機構を構成する電動モータならびにボールねじ機構（いずれも図示せず）を収容したアクチュエータハウジング１と、上記電動モータの駆動制御を行うコントローラ２と、を備えている。コントローラ２は、筐体として、矩形の浅皿状をなすコントローラハウジング３と、このコントローラハウジング３の開口面を覆う同じく矩形の浅皿状をなすカバー４と、を備えており、図示するように、コントローラハウジング３が２本のネジ５によってアクチュエータハウジング１に取り付けられているとともに、カバー４が別の２本のネジ６によってコントローラハウジング３に取り付けられている。コントローラハウジング３の下部は、アクチュエータハウジング１から下方へ突出しており、この突出部分の裏側に合成樹脂製のコネクタ７が取り付けられている。
【００１１】
コントローラハウジング３は、金属部材、例えば熱伝導に優れたアルミニウム合金のダイキャストとして形成されており、周縁が全周に亘ってフランジ部８としてハウジング底壁９（図２および図３）から僅かに立ち上がっており、このフランジ部８の内側の空間に、回路基板１０が収容されている。
【００１２】
回路基板１０は、周縁の複数点ならびに中央の１点に配した複数のネジ１１によってコントローラハウジング３に固定されており、この取付状態において、コントローラハウジング３のハウジング底壁９との間に僅かな隙間１２（図３参照）が確保されるようになっている。従って、回路基板１０の裏側（コントローラハウジング３に向かう面）に実装された一部の電子部品（図示せず）は、この隙間１２内に収容される。
【００１３】
また、図２、図３に示すように、回路基板１０には、コネクタ７にインサート成形された複数の端子が、回路基板１０に形成された対応するスルーホールを貫通した上で回路基板１０の表側のパターン（図示せず）にハンダ付けされている。上記複数の端子は、上下方向に互いに整列した後述する上側端子１３と下側端子１４とからなる１組の端子を、コントローラハウジング３の幅方向（コントローラハウジング３の短辺３ａに沿った方向）に複数組連続するように配置して構成されている。
【００１４】
なお、図３は、図２のＡ−Ａ線に沿ったコントローラハウジング３およびコネクタ７の断面図であり、上述した複数組の端子のうちの１組の端子１３，１４が示されている。
【００１５】
図４は、図３のコントローラハウジング３の下部を拡大して概略的に示した図である。コネクタ７は、コネクタ底壁１５と、このコネクタ底壁１５の周囲を矩形に囲む周壁１６と、を備えており、これらのコネクタ底壁１５および周壁１６により凹部１７を形成している。コネクタ底壁１５には、インサート成形により金属製の上側端子１３および下側端子１４が固定されており、これらの端子１３，１４が、上記周壁１６によって囲まれている。また、上記コネクタ７の凹部１７には、図示しないプラグが挿入され、このプラグに設けられた対応する２つの端子が、コネクタ７側の２つの端子１３，１４にそれぞれ接続される。ここで、コネクタ７側での端子間距離Ｄ1は、プラグ側での端子間距離に基づいて決定されるものであり、ある程度の長さが必要とされている。
【００１６】
また、上記コネクタ底壁１５は、周壁１６から外側へ一部突出しており、この突出した部分から比較的厚肉の矩形に連続した取付部１８が回路基板１０に向かって延びている。この取付部１８の先端には、回路基板１０側に開口する矩形に連続した溝１９が形成されている。
【００１７】
また、上記コントローラハウジング３は、上側端子１３および下側端子１４を通す矩形の開口部２１を有し、この開口部２１の周縁に沿って、上記ハウジング底壁９から回路基板１０とは反対側に延びる比較的薄肉の取付用突出部２０を備えている。
【００１８】
上記溝１９は、取付用突出部２０の先端を覆うように配置され、上記溝１９と取付用突出部２０との間にＦＩＰＧ（Ｆｏｒｍｅｄ  Ｉｎ  Ｐｌａｃｅ  Ｇａｓｋｅｔ）または接着剤２２を用いることによりコネクタ７が上記取付用突出部２０に固定されている。
【００１９】
上記上側端子１３は、コネクタ底壁１５を貫通して延びる基部１３ａと、所定の折曲角度αで上記基部１３ａの先端から隣接する下側端子１４側へと折曲形成された中間の傾斜部１３ｂと、上記基部１３ａと平行になるように上記所定の折曲角度αで傾斜部１３ｂの先端から反対側に折曲形成された先端部１３ｃと、を備えている。ここで、上記所定の折曲角度αは、図４に示すように、基部１３ａと傾斜部１３ｂとの間の角度および傾斜部１３ｂと先端部１３ｃとの間の角度であり、９０度以上かつ１８０度未満に設定されている。
【００２０】
また、上記下側端子１４は、上記上側端子１３と上下方向に対称となるように折曲形成されており、基部１４ａと、中間の傾斜部１４ｂと、先端部１４ｃと、を備えている。
【００２１】
上記のように構成された２つの端子１３，１４の先端部１３ｃ，１４ｃは、回路基板１０に設けられた２つの対応するスルーホール２３，２４にそれぞれ挿入される。このとき、上記先端部１３ｃ，１４ｃは、回路基板１０と直交した状態となっている。そして、先端部１３ｃ，１４ｃは、上記コネクタ底壁１５と平行に配置された回路基板１０の表側の上記パターンにハンダ付けにより固定される。
【００２２】
上記のように２つの端子１３，１４を折曲形成してこれらの先端部１３ｃ，１４ｃを回路基板１０に固定したことから、２つの端子１３，１４のコネクタ７側での端子間距離Ｄ1に比較して回路基板１０側での端子間距離Ｄ2が狭まる。つまり、図示せぬプラグが挿入されるコネクタ７側の端子間距離Ｄ1を過度に狭めることなく、回路基板１０側の端子間距離Ｄ2を小さくすることができる。これにより、上側端子１３の上方および下側端子１４の下方の双方において、これらの端子間距離Ｄ1，Ｄ2の差に対応した分だけ回路基板１０の両面について他の用途に利用可能な面積をより広く確保し、この広がった面積部分を利用して回路基板１０に電子部品や配線を設けることができる。これにより、回路基板１０やコントローラハウジング３が小型化される。
【００２３】
また、例えば回路基板１０やコネクタ７が受ける振動や熱膨張差により回路基板１０のハンダ付け部（図示せず）に生じる応力を、各端子の中間の傾斜部１３ｂ，１４ｂが吸収するので、回路基板１０と端子１３，１４との接続不良を防止することができる。
【００２４】
図５は、本発明に係る電子回路装置の第２の実施例を示している。この実施例では、上側端子１３は、図４の上側端子１３と同様に折曲形成された端子であるが、下側端子２５は、直線状の端子である。このような構成においても、２つの端子１３，２５のコネクタ７側での端子間距離Ｄ1に比較して回路基板１０側での端子間距離Ｄ2が狭まる。
【００２５】
図６は、本発明に係る電子回路装置の第３の実施例を示している。この実施例では、３つの端子が一直線上に並んで配置されており、両側の端子１３，１４は、それぞれ、図４の上側端子１３および下側端子１４と同様に折曲形成された端子であり、中央の端子２６は、直線状の端子である。従って、このような構成においても、３つの端子１３，１４，２６のコネクタ７側での端子間距離Ｄ1に比較して回路基板１０側での端子間距離Ｄ2が狭まる。
【００２６】
図７は、本発明に係る電子回路装置の第４の実施例を示している。この実施例では、上側端子２７が、コネクタ底壁１５を貫通して延びる基部２７ａと、下側端子２８側にＵターンするように上記基部２７ａの先端から折曲形成された第１の湾曲部２７ｂと、下側端子２８側にＵターンするように上記第１の湾曲部２７ｂの先端から折曲形成された第２の湾曲部２７ｃと、上記基部２７ａと平行になるように上記第２の湾曲部２７ｃの先端から延びる先端部２７ｄと、を備えている。つまり、上記第１の湾曲部２７ｂおよび第２の湾曲部２７ｃは、全体として「Ｓ」字状をなすように連続し、互いに平行な基部２７ａと先端部２７ｄとを連結している。
【００２７】
また、上記下側端子２８は、上側端子２７と上下方向に対称となるように折曲形成されており、基部２８ａと、第１の湾曲部２８ｂと、第２の湾曲部２８ｃと、先端部２８ｄと、を備えている。
【００２８】
従って、このような構成においても、２つの端子２７，２８のコネクタ７側での端子間距離Ｄ1に比較して回路基板１０側での端子間距離Ｄ2が狭まる。さらに、第１の湾曲部２７ｂ，２８ｂおよび第２の湾曲部２７ｃ，２８ｃにより形成される上記「Ｓ」字状の形状は、一種のばねとして機能するから、回路基板１０のハンダ付け部（図示せず）に生じる応力を吸収するのに優れたものとなる。
【００２９】
なお、上記各実施例では、コントローラ２を縦置きに配置した例を開示したが、横置きに配置するようにしてもよい。
【００３０】
また、上記各実施例では、上下方向に整列した端子の端子間距離Ｄ1を狭める実施例を開示したが、左右方向（コントローラハウジング３の短辺３ａに沿った方向）に整列した端子の端子間距離を狭めるようにしてもよい。
【符号の説明】
【００３１】
２・・・コントローラ
３・・・コントローラハウジング
４・・・カバー
７・・・コネクタ
７ａ・・・コネクタ底壁
１０・・・回路基板
１３・・・上側端子
１４・・・下側端子
１３ａ・・・基部
１３ｂ・・・傾斜部
１３ｃ・・・先端部
１４ａ・・・基部
１４ｂ・・・傾斜部
１４ｃ・・・先端部
Ｄ1・・・コネクタ側での端子間距離
Ｄ2・・・回路基板側での端子間距離
【図１】
2016170856.tif 000003
【図２】
2016170856.tif 000004
【図３】
2016170856.tif 000005
【図４】
2016170856.tif 000006
【図５】
2016170856.tif 000007
【図６】
2016170856.tif 000008
【図７】
2016170856.tif 000009